(57)【要約】　　　（修正有）【課題】照射範囲を広くして誰でも簡単に取り扱える安全で作業性の良い昇降旋回式投光器を開発・提供する。【解決手段】キャスター等の移動手段６と左右開閉アーム７ｂ及び中央前後伸縮アーム付スクリュウアジャスト式ストッパー７ａ等の固定手段７を有する架台と、該架台上に設けた旋回固定ピン等の固定手段ＳＴ１付旋回装置と、且つ、該旋回装置に設けた落下防止等の安全装置ＳＴ２付二段伸縮ブーム式上下移動装置４と、且つ、該二段伸縮ブーム式上下移動装置の先端部に設けた着脱可能な所定角度の照射角度調整装置５ａ付投光器５を係止してなる昇降旋回式投光器。【選択図】　図１
0003098686.tif 000002
【実用新案登録請求の範囲】
【請求項１】
キャスター等の移動手段（６）と左右開閉式アーム（７ｂ）及び中央前後伸縮式アーム付スクリュウアジャスト式ストッパー（７ａ）等の固定手段（７）を有する架台（１）と、該架台上に設けた旋回固定ピン等の固定手段（ＳＴ１）付旋回装置（３）と、且つ、該旋回装置に設けた落下防止等の安全装置（ＳＴ２）付二段伸縮ブーム式上下移動装置（４）と、且つ、該二段伸縮ブーム式上下移動装置（４）の先端部に設けた着脱自在で所定角度（θ）調整可能な照射角度調整装置（５ａ）と、該照射角度調整装置に係止した投光器（５）からなる昇降旋回式投光器。
【請求項２】
キャスター等の移動手段（６）と左右開閉式アーム（７ｂ）及び中央前後伸縮式アーム（７ｃ）付スクリュウアジャスト式ストッパー（７ａ）等の固定手段（７）を有する架台（１）上に円筒状のブームベース（２）を立設し、且つ、該ブームベースの円筒軸を中心に所定角度（α）程旋回可能な旋回固定ピン等の固定手段（ＳＴ１）を有する旋回装置（３）を挿着して設け、且つ、該旋回装置の上端部に横軸（Ｐ１）と他端の架台中心部に吊りフック（３ｂ）を設け、且つ、該横軸（Ｐ１）を支軸にしてウィンチ等の移動手段により、水平姿勢から上向き方向へ所定角度（β）程上下移動可能な二段伸縮ブーム式上下移動装置（４）を設け、且つ、該旋回装置（３）の上下ほぼ中心部と二段伸縮ブーム式上下移動装置の左右ほぼ中心部に横軸（Ｐ２）（Ｐ３）をそれぞれ設け、且つ、該横軸間をシリンダー等の上下移動手段（Ｃ）を設け、且つ、該二段伸縮ブーム式上下移動装置（４）の先端部に着脱自在で所定角度（θ）調整可能な照射角度調整装置（５ａ）付投光器（５）を係止した事を特徴とする請求項１記載の昇降旋回式投光器。
【考案の詳細な説明】
【０００１】
【考案の属する技術分野】
この考案は、道路工事現場等で使用する昇降旋回式投光器に関するものである。
【０００２】
【従来の技術】
従来、投光器といえば建物、駐車場、競技場等の屋外照明に使用されるフィラメントランプ又は水銀ランプと放物面の反射器から構成され、殆どが固定式のものが多い。
【０００３】
又、本考案の様に道路工事専用のものでも、垂直方向のみの昇降移動であり照射範囲が狭く、且つ、下向き照射に限定されていた為、下部の台車部分が照射の妨げと成り、作業性・安全性においても支障を来たしており、作業性を良くし安全に作業をする為には上向き照射を可能にし、且つ、広範囲の移動と角度調整が必要である。
【０００４】
【考案が解決しようとする課題】
そこで、この考案は上記の問題を解決する為に、照射範囲を広くして誰でも簡単に取り扱える安全で作業性の良い昇降旋回式投光器を開発・提供するものである。
【０００５】
【課題を解決するための手段】
上記課題を解決する為に、自然落下防止付上下移動装置と広範囲の旋回移動を可能とした旋回固定ピン付旋回装置と角度調整付投光器を組み合せて設けたものである。
【０００６】
【考案の実施の形態】
そこで、この考案の一実施例を図１〜図４に従って詳述すると、キャスター等の移動手段（６）と左右開閉式アーム（７ｂ）及び中央前後伸縮式アーム付スクリュウアジャスト式ストッパー（７ａ）等の固定手段（７）を有する架台（１）と、該架台上に設けた旋回固定ピン等の固定手段（ＳＴ１）付旋回装置（３）と、且つ、該旋回装置に設けた落下防止等の安全装置（ＳＴ２）付二段伸縮ブーム式上下移動装置（４）と、且つ、該二段伸縮ブーム式上下移動装置（４）の先端部に設けた着脱自在で所定角度（θ）調整可能な照射角度調整装置（５ａ）と、該照射角度調整装置に係止した投光器（５）からなる昇降旋回式投光器から構成される。
【０００７】
又、キャスター等の移動手段（６）と左右開閉式アーム（７ｂ）及び中央前後伸縮式アーム（７ｃ）付スクリュウアジャスト式ストッパー（７ａ）等の固定手段（７）を有する架台（１）上に円筒状のブームベース（２）を立設し、且つ、該ブームベースの円筒軸を中心に所定角度（α）程旋回可能な旋回固定ピン等の固定手段（ＳＴ１）を有する旋回装置（３）を挿着して設け、且つ、該旋回装置の上端部に横軸（Ｐ１）と他端の架台中心部に吊りフック（３ｂ）を設け、且つ、該横軸（Ｐ１）を支軸にしてウィンチ等の移動手段により、水平姿勢から上向き方向へ所定角度（β）程上下移動可能な二段伸縮ブーム式上下移動装置（４）を設け、且つ、該旋回装置（３）の上下ほぼ中心部と二段伸縮ブーム式上下移動装置の左右ほぼ中心部に横軸（Ｐ２）（Ｐ３）をそれぞれ設け、且つ、該横軸間をシリンダー等の上下移動手段（Ｃ）を設け、且つ、該二段伸縮ブーム式上下移動装置（４）の先端部に着脱自在で所定角度（θ）調整可能な照射角度調整装置（５ａ）付投光器（５）を係止した事を特徴とする請求項１記載の昇降旋回式投光器から構成される。
【０００８】
次に、この装置の各部の取り扱いについて説明すると、まず架台（１）の左右に取り付けた開閉式アーム（７ｂ）及び中央前後伸縮式アーム（７ｃ）付スクリュウアジャスト式ストッパー（７ａ）等の固定手段（７）は投光器の台車全体の安定性を確保する為、作業時には必ずアーム部（７ｂ）（７ｃ）を開状態及び伸状態にした後、固定ピンで固定し、台車を安定させて使用する。
【０００９】
又、ブーム（４）を旋回させる場合はブームベース（２）横に設置された旋回固定ピン（ＳＴ１）のレバーを上げて旋回させ、位置が決まったら必ずレバーを倒して固定して使用する。
【００１０】
又、ブーム（４）の上下移動は手動油圧式で、ブーム（４）を下げる場合は、自然落下防止装置のレバーを上げてから、油圧ポンプＡＳＳ（Ｐ）の油圧コックを開状態に回して作動させ、位置決め後は必ずレバーを下げて閉状態に戻す。
【００１１】
そして、ブーム（４）を伸ばす場合は、ワイヤー式ウィンチ（Ｗ）を時計方向に廻すとメインブーム（４ａ）（第１ブーム）の中に収納されたサブブームが最初に伸び、更にサブブーム（第２ブーム）の中に収納されたインナーブーム（４ｃ）（第３ブーム）が伸びる。又、ブームを縮める場合はウィンチを反時計方向に廻せば、逆の順番で縮んでいく。
【００１２】
更に、ブーム（４）の先端部に取り付けの投光器照射角度調整装置（５ａ）の調整角度はブーム水平時で上向き９０度から下向き９０度の合計１８０度の調整が可能で、角度調整時は左右の固定用ハンドル（５ａ’）を緩め、手動で角度を調整し、調整後は必ず固定用ハンドル（５ａ’）を閉めて固定する。
【００１３】
又、架台（１）上には発電機（Ｇ）と円筒状のブームベース（２）後部には安定器（Ｓ）を搭載している。
【００１４】
次に、使用方法及び注意事項について概要を説明すると、まずスィッチボックス内のブレーカーがＯＦＦである事を確認し、電源プラグを接続し、バルーンが膨らんだ事を確認した後、ブレーカーをＯＮにすると、水銀灯ランプが点灯し始め、約１０分程度で安定した点灯状態になります。
【００１５】
又、ランプを消灯した場合は、ブレーカーをＯＦＦにして１０分以上経過してから再度ブレーカーをＯＮにして下さい。発電機の場合、電圧が上昇し故障の原因となります。
【００１６】
又、使用後はブレーカーをＯＦＦにし、ファンを数分間回したままにしてランプが冷却した事を確認し、電源ランプを抜き、バルーンを小さくして下さい。
【００１７】
この考案の昇降旋回式投光器を運搬する際は、吊りフック部にワイヤー等を使用してクレーン等で吊り上げトラック等で運搬する。この際も必ず安全性を考慮して、左右及び後部中央に取り付けのアウトリガーを使用して固定すること。
【００１８】
【考案の効果】
アーム伸縮用ウィンチを設ける事で、誰でも簡単に伸縮・昇降が手元で操作出来、且つ、手動式旋回機能を設け、且つ、ブーム先端部の投光器照射角度調整機能を設ける事で広範囲で上下方向の照射を可能にし、且つ、トラック等に載せたまま現場を照射する事が出来る等、極めて有益なる効果を奏するものである。
【図面の簡単な説明】
【図１】この考案の一実施例を示し、左側面図である。
【図２】この考案の一実施例を示し、平面図である。
【図３】この考案の一実施例を示し、背面図である。
【図４】この考案の一実施例を示し、（Ａ）はブームの旋回角度を示す平面図で、（Ｂ）はブームの振り角を示す左側面図である。
【符号の説明】
１　架台
２　ブームベース
３　旋回装置
３ａ　旋回装置本体
３ｂ　吊りフック
４　二段伸縮ブーム式上下移動装置
４ａ　メインブーム（第１ブーム）
４ｂ　サブブーム（第２ブーム）
４ｃ　インナーブーム（第３ブーム）
５　投光器
５ａ　照射角度調整装置
５ａ’　固定用ハンドル
６　キャスター等の移動手段
７　固定手段
７ａ　スクリュウアジャスト式ストッパー
７ｂ　左右開閉式アーム
７ｃ　中央前後伸縮アーム
Ｃ　シリンダー等の上下移動手段
Ｐ　油圧ポンプＡＳＳ
Ｐ１　横軸
Ｐ２　横軸
Ｐ３　横軸
ＳＴ１　旋回固定ピン等の固定手段
ＳＴ２　落下防止等の安全装置
Ｗ　ウィンチ
Ｇ　発電機
α　ブーム旋回角度
β　ブームリフト角度
θ　投光器照射方向調整角度
【図１】
0003098686.tif 000003
【図２】
0003098686.tif 000004
【図３】
0003098686.tif 000005
【図４】
0003098686.tif 000006